(57)【要約】【課題】  車両用懸架装置の組立性が低下することを抑制可能な車両用懸架装置の一例を開示する。【解決手段】  ラバーシート９では、座巻部３Ａの端部から０．４巻以上ずれた位置に対応する部位に第２位置決め部が設けられている。これにより、当該車両用懸架装置１の組立時においては、端末対応部より先に第２位置決め部９Ｃがスプリングシート７に対して位置決めされる。そして、ばね３の中心軸線Ｌｓがダンパー５の中心軸線Ｌｄに対して略平行になるので、第２位置決め部がスプリングシート７に対して位置決めされた状態でマウント部材がダンパー５に組み付けられると、端末対応部は、スプリングシート７に対して自動的に所定部位に位置決めされる。したがって、車両用懸架装置１の組立性が低下することが抑制され得る。【選択図】  図８
2019163826.tif 000002
【特許請求の範囲】
【請求項１】
車両用懸架装置において、
コイル状のばねと、
前記ばね内に配置された伸縮可能なダンパーと、
前記ダンパーの長手方向一端側又は他端側に連結された金属製のスプリングシートであって、前記ダンパーの伸縮方向に対して傾いたスプリングシートと、
前記ばねの座巻部に接合されたゴム製のラバーシートであって、当該ばねにより前記スプリングシートに向けて押圧されたラバーシートと、
前記ラバーシートのうち前記座巻部の端部から０．４巻以上ずれた位置に対応する部位に設けられ、前記スプリングシートに対する当該ラバーシートの位置を決めるための位置決め部と
を備える車両用懸架装置。
【発明の詳細な説明】
【技術分野】
【０００１】
本開示は、車両用懸架装置に関する。
【背景技術】
【０００２】
例えば、特許文献１に記載の車両用懸架装置は、コイル状のばね、ダンパー、金属製のスプリングシート及びゴム製のラバーシートを備える。ダンパーは、ばね内に配置されて減衰力を発揮する伸縮可能な部材である。
【０００３】
スプリングシートは、ダンパーの長手方向一端側又は他端側に連結された皿状のプレートである。ラバーシートは、ばねの座巻部（特許文献１では、下端部）に配置されたゴム製のシートである。
【先行技術文献】
【特許文献】
【０００４】
【特許文献１】特開２０１６−１９１４５３号公報
【発明の概要】
【発明が解決しようとする課題】
【０００５】
ところで、ラバーシートが座巻部に予め接合された車両用懸架装置において、スプリングシートがダンパーの伸縮方向に対して傾いていると、車両用懸架装置の組立時において、以下の問題が発生する。
【０００６】
すなわち、車両用懸架装置の組立時においては、ばねは、座巻部の端末がラバーシートの所定部位に位置するように位置決めされ、かつ、ラバーシートは、当該所定部位がスプリングシートの所定部位に位置するように位置決めされる。つまり、車両用懸架装置の組立作業においては、作業者は、座巻部の端末がスプリングシートに対して予め決められた所定部位に位置するように組立作業を行う。
【０００７】
しかし、ラバーシートとばねとが予め接合されている場合、スプリングシートがダンパーの伸縮方向に対して傾いているため、組立作業時に、ラバーシートのうち端末に対応する部位（以下、端末対応部という。）と異なる部位が、端末対応部より先にスプリングシートに接触してしまう。
【０００８】
端末対応部と異なる部位が端末対応部より先にスプリングシートに接触してしまうと、スプリングシートに対するラバーシートの位置を予め決められた位置とする作業が難しくなる。つまり、ラバーシートとばねとが予め接合されている構成では、車両用懸架装置の組立性が低下するおそれがある。
【０００９】
なお、ラバーシートとばねとが予め接合されていない構成では、作業者は、車両用懸架装置の組立時に、端末がラバーシートの所定部位に位置するように位置決めしながら組立作業を行う必要があるので、組立工数低減が難しい。
【００１０】
本開示は、上記点に鑑み、車両用懸架装置の組立性が低下することを抑制可能な車両用懸架装置の一例を開示する。
【課題を解決するための手段】
【００１１】
車両用懸架装置に係るラバーシート（９）では、座巻部（３Ａ）の端部から０．４巻以上ずれた位置に対応する部位に、スプリングシート（７）に対する当該ラバーシート（９）の位置を決めるための位置決め部（９Ｃ）が設けられている。
【００１２】
これにより、当該車両用懸架装置の組立時においては、端末対応部より先に位置決め部（９Ｃ）がスプリングシート（７）に対して位置決めされる。そして、位置決め部（９Ｃ）がスプリングシート（７）に対して位置決めされると、端末対応部は、スプリングシート（７）に対して自動的に所定部位に位置決めされる。したがって、車両用懸架装置の組立性が低下することが抑制され得る。
【００１３】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１４】
【図１】実施形態に係る車両用懸架装置を示す図である。
【図２】実施形態に係るばねを示す図である。
【図３】実施形態に係るダンパー及びスプリングシートを示す図である。
【図４】実施形態に係るラバーシートを示す図である。
【図５】実施形態に係るラバーシートを示す図である。
【図６】実施形態に係る車両用懸架装置の組立説明図である。
【図７】実施形態に係る車両用懸架装置の組立説明図である。
【図８】実施形態に係る車両用懸架装置の組立説明図である。
【発明を実施するための形態】
【００１５】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１６】
なお、各図に付された方向を示す矢印等は、各図相互の関係を理解し易くするために記載されたものである。本明細書に記載された発明は、各図に付された方向に限定されるものではない。
【００１７】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。
【００１８】
（第１実施形態）
１．車両用懸架装置の構成
図１に示される車両用懸架装置１は、前輪Ｆｈを懸架するためのストラット式懸架装置の一例である。当該車両用懸架装置１は、ばね３、ダンパー５、スプリングシート７及びラバーシート９等を少なくとも備える。
【００１９】
ばね３は、金属製の線材がコイル状に成形されたばねである。当該ばね３は、主に上下方向に弾性変形しながら前輪Ｆｈを懸架する。ダンパー５は、ばね３内に配置されている。当該ダンパー５は、ばね３の弾性変形と連動して伸縮しながら、前輪Ｆｈの変位を規制する減衰力を発生する。
【００２０】
本実施形態に係るダンパー５は、上下方向に伸縮可能なテレスコープ状である。具体的には、シリンダ部５Ａ及び当該シリンダ部５Ａに対して出没するロッド５Ｂ等を少なくとも有して構成されている。
【００２１】
スプリングシート７は、ダンパー５の長手方向一端側又は他端側に連結された金属製の部材である。なお、本実施形態に係るスプリングシート７は、ダンパー５の下端側に位置するシリンダ部５Ａに溶接等の固定手法によって固定されている。
【００２２】
当該スプリングシート７は、ばね３の下端側の座巻部３Ａ（図２参照）に発生する力をシリンダ部５Ａ、つまりダンパー５に伝達する。なお、ばね３の上端側は、マウント部材１０を介してロッド５Ｂに伝達される。
【００２３】
マウント部材１０は、車両用懸架装置１の上端を車両ボディ（図示せず。）に連結するための部材である。スプリングシート７は、図１に示されるように、ダンパー５の伸縮方向（本実施形態では、上下方向）に対して傾いた皿状である。
【００２４】
ラバーシート９は、座巻部３Ａに接合されたゴム製のシート部材である。当該ラバーシート９は、ばね３によりスプリングシート７に向けて押圧されている。なお、ばね３の自然長は、スプリングシート７とマウント部材１０との間の距離寸法より大きい（図６参照）。
【００２５】
つまり、ばね３が車両用懸架装置１に組み付けられた状態では、当該ばね３は、初期荷重により、予め所定寸法だけ撓み変形した状態となっている。なお、車両用懸架装置１が車両に組み付けられると、車両重量により、図１に示される状態よりも更に撓み変形する。
【００２６】
２．ラバーシートの詳細構成
ラバーシート９は、天然ゴム系ゴム等の硬質なゴムにて略馬蹄形又は略Ｃ字状に構成されている。当該ラバーシート９のうちばね３側には、図４に示されるように、当該ラバーシート９に沿って溝部９Ａが設けられている。
【００２７】
溝部９Ａは、座巻部３Ａが嵌り込む凹部である。座巻部３Ａは接着剤にて溝部９Ａの内壁に接着されている。ラバーシート９のうちスプリングシート７に面する部位には、図５に示されるように、第１位置決め部９Ｂ及び第２位置決め部９Ｃが設けられている。
【００２８】
第１位置決め部９Ｂ及び第２位置決め部９Ｃは、スプリングシート７に対する当該ラバーシート９の位置を決めるための部位である。第１位置決め部９Ｂは、座巻部３Ａの端部に対応する部位に設けられて当該端部の位置を決めるための部位である。
【００２９】
第２位置決め部９Ｃは、座巻部３Ａの端部から０．４巻以上ずれた位置に対応する部位に設けられて当該部位の位置を決めるための部位である。なお、本実施形態に係る第１位置決め部９Ｂは、突起状の部材が嵌り込み可能な穴部又は凹部にて構成されている。第２位置決め部９Ｃは、突起状に構成されている。
【００３０】
このため、スプリングシート７には、図３に示されるように、突起状に構成された第１位置決め部７Ａ、及び突起部が嵌り込み可能な穴部又は凹部にて構成された第２位置決め部７Ｂが設けられている。第１位置決め部７Ａは第１位置決め部９Ｂに嵌り込む突起である。第２位置決め部７Ｂは第２位置決め部９Ｃが嵌り込む凹部である。
【００３１】
３．本実施形態に係る車両用懸架装置１の特徴
車両用懸架装置１の組立時においては、ばね３は、座巻部３Ａの端末がラバーシート９の所定部位に位置するように位置決めされ、かつ、ラバーシート９は、当該所定部位がスプリングシート７の所定部位に位置するように位置決めされる（図１参照）。
【００３２】
つまり、車両用懸架装置１の組立作業においては、作業者は、座巻部３Ａの端末がスプリングシート７に対して予め決められた所定部位に位置するように組立作業を行う。
車両用懸架装置１の組立作業において、作業者は、図６に示されるように、スプリングシート７が予め固定されているダンパー５に、ラバーシート９が接着されたばね３を組み付ける。
【００３３】
しかし、スプリングシート７がダンパーの伸縮方向に対して傾いているため、組立作業時に、ラバーシート９のうち座巻部３Ａの端末に対応する部位（以下、端末対応部という。）と異なる部位が、端末対応部より先にスプリングシート７に接触してしまう（図８参照）。
【００３４】
このため仮に、第２位置決め部９Ｃが設けられておらず、第１位置決め部９Ｂのみが設けられたラバーシート９では、作業者は、第１位置決め部９Ｂをスプリングシート７に位置決めした状態で、マウント部材１０をダンパー５に組み付ける必要がある。
【００３５】
第１位置決め部９Ｂがスプリングシート７に位置決めされた状態では、図７に示されるように、端末対応部と異なる部位もスプリングシート７に接触した状態となるので、ばね３の中心軸線Ｌｓがダンパー５の中心軸線Ｌｄに対して大きく傾いてしまう。
【００３６】
このため、マウント部材１０をダンパー５に組み付ける作業、及び端末対応部を所定部位に位置決めする作業の作業性が著しく低下するおそれがあるので、車両用懸架装置１の組立性が低下するおそれがある。
【００３７】
なお、ラバーシート９とばね３とが予め接合されていない構成では、作業者は、車両用懸架装置１の組立時に、端末がラバーシート９の所定部位に位置するように位置決めしながら組立作業を行う必要があるので、組立工数低減が難しい。
【００３８】
これに対して、本実施形態に係るラバーシート９では、座巻部３Ａの端部から０．４巻以上ずれた位置に対応する部位に第２位置決め部９Ｃが設けられている。これにより、当該車両用懸架装置１の組立時においては、図８に示されるように、端末対応部より先に第２位置決め部９Ｃがスプリングシート７に対して位置決めされる。
【００３９】
そして、図８に示す状態では、ばね３の中心軸線Ｌｓがダンパー５の中心軸線Ｌｄに対して略平行になるので、第２位置決め部９Ｃがスプリングシート７に対して位置決めされた状態でマウント部材１０がダンパー５に組み付けられると、端末対応部は、スプリングシート７に対して自動的に所定部位に位置決めされる。したがって、車両用懸架装置１の組立性が低下することが抑制され得る。
【００４０】
第２位置決め部９Ｃが設けられた位置、つまり座巻部３Ａの端部から０．４巻以上ずれた位置に対応する部位とは、上記のように、ばね３の中心軸線Ｌｓがダンパー５の中心軸線Ｌｄに対して略平行になるように、ばね３が組み付けられたときに、ラバーシート９とスプリングシート７とが最初に接触する部位である。
【００４１】
（その他の実施形態）
上述の実施形態では、第１位置決め部９Ｂが設けられていた。しかし、本明細書に開示された発明はこれに限定されるものではない。すなわち、第１位置決め部９Ｂが廃止されたラバーシート９であってもよい。
【００４２】
上述の実施形態は、前輪Ｆｈを懸架するためのストラット式懸架装置であった。しかし、本明細書に開示された発明はこれに限定されるものではない。すなわち、本明細書に開示された発明は、その他形式の車両用懸架装置にも適用可能である。
【００４３】
上述の実施形態では、第１位置決め部９Ｂ及び第２位置決め部７Ｂは穴部又は凹部であり、第１位置決め部７Ａ及び第２位置決め部９Ｃは突起であった。しかし、本明細書に開示された発明はこれに限定されるものではない。すなわち、例えば、第１位置決め部９Ｂ及び第２位置決め部７Ｂが突起に構成され、第１位置決め部７Ａ及び第２位置決め部９Ｃが穴部又は凹部で構成されていてもよい。
【００４４】
さらに、本開示は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００４５】
１… 車両用懸架装置  ３Ａ… 座巻部  ５… ダンパー
５Ａ… シリンダ部  ５Ｂ… ロッド  ７… スプリングシート
７Ａ… 第１位置決め部  ７Ｂ… 第２位置決め部
９… ラバーシート  ９Ａ… 溝部  ９Ｂ… 第１位置決め部
９Ｃ… 第２位置決め部  １０… マウント部材
【図１】
2019163826.tif 000003
【図２】
2019163826.tif 000004
【図３】
2019163826.tif 000005
【図４】
2019163826.tif 000006
【図５】
2019163826.tif 000007
【図６】
2019163826.tif 000008
【図７】
2019163826.tif 000009
【図８】
2019163826.tif 000010